(57)【要約】【課題】外部機器に搭載し得るように構成された電気音響変換器において、薄型に構成できかつ強度を十分確保した上で、外部機器へ搭載される他の電子部品であるアンテナへの悪影響をおよぼすことのない電気音響変換器を提供するものである。【解決手段】係る電気音響変換器１０は、外部機器に搭載し得る構成となっているが、そのカバー部材２４が樹脂により形成され、さらにカバー部材２４の振動板１２のエッジ部１２Ｂと対向する面には、リブ２５が形成されている。【選択図】図１
2008182394.tif 000002
【特許請求の範囲】
【請求項１】
中央に平面部と、前記平面部の周囲にエッジ部を有する振動板と、
前記振動板の一端部の平面部に載置された付加プレートと、
前記振動板の他端部に一端部が固着され、導線を巻回することにより構成されたボイスコイルと、
前記ボイスコイルの他端部を収容する磁気間隙が形成された磁気回路ユニットと、
前記磁気回路ユニットを保護するための筺体と、
前記筺体に取り付けられ、前記磁気回路ユニットの一部を覆うためのカバー部材と、
を備えたスピーカにおいて、
前記カバー部材は、樹脂により形成され、
前記カバー部材の少なくとも前記振動板のエッジ部と対向する面には、梁部が形成されていることを特徴とする電気音響変換器。
【請求項２】
前記エッジ部は、前記振動板の他端部側に突出するように湾曲していることを特徴とする請求項１記載の電気音響変換器。
【請求項３】
前記梁部は、前記付加プレート載置部外周の前記振動板上面側に形成されていることを特徴とする請求項１又は請求項２記載の電気音響変換器。
【請求項４】
前記梁部は、少なくとも前記付加プレートの外周部を取り囲む環状の円環リブを備えることを特徴とする請求項１から請求項３の何れかに記載の電気音響変換器。
【請求項５】
前記カバー部材は、略四角形状に形成され、
前記梁部は、少なくとも前記カバー部材の辺中心及び角部より前記円環リブへ延出される放射リブを備えることを特徴とする請求項４記載の電気音響変換器。
【請求項６】
前記カバー部材は、厚さ０．２ｍｍ以下の樹脂により形成されていることを特徴とする請求項１から請求項５の何れかに記載の電気音響変換器。
【発明の詳細な説明】
【技術分野】
【０００１】
本願発明は、外部機器に搭載し得るように構成された電気音響変換器に関するものである。
【背景技術】
【０００２】
一般に、小型のマイクロホンやスピーカ（レシーバ）等の電気音響変換器は、外部機器に搭載し得るように構成されている。その際、外部機器の筺体内に実装され使用されるものも多くなっている。この外部機器の一例として携帯電話があげられる。携帯電話においては、電気音響変換器の他にも液晶パネルやアンテナ、電池など様々な電子部品が内装されて構成されている。また、最近の携帯電話においては、薄型化が進み、それに応じて内装される電子部品も薄型化をする要求に迫られている。電気音響変換器についても当然薄型化の要求が高まっている状況にある。また、電気音響変換器を薄型化しても、その耐久性や衝撃強度、音響特性は、従来通りの品質を求められる状況にある。電気音響変換器の場合、強度的に弱い部分として、振動板があげられる。この振動板を保護する上で、振動板表面のカバー部材は必須のものとなっている。
【０００３】
例えば「特許文献１」には、振動板表面のカバー部材として、ステンレス鋼製のカバー部材が記載されている。このように頑丈なステンレス鋼製のカバー部材により振動板を保護し、振動板の破損を防止するものである。
【０００４】
また「特許文献２」に記載されたスピーカは、大型のスピーカであるが樹脂製のグリルを肉厚に補強し振動板の全面を覆うようにして保護するものが開示されている。
【０００５】
【特許文献１】特開２００２−３５４５８２号公報
【特許文献２】特開平８−２３５９２号公報
【発明の開示】
【発明が解決しようとする課題】
【０００６】
上記「特許文献１」に記載されたスピーカは、ステンレス鋼製のカバー部材を有しているため強度的に優れており従来から携帯電話へ内装される電気音響変換器として用いられてきた。
【０００７】
ところが最近の携帯電話においては、薄型化をするが故にアンテナも小型薄型化され、それに伴い従来では影響のなかったスピーカのステンレス鋼製のカバー部材により、電波の受信感度が低下してしまう弊害が出てしまう様になってきた。
【０００８】
これに伴って、スピーカのステンレス鋼製のカバー部材を樹脂製のカバー部材に変更する必要性が生じてきた。しかしながら、樹脂製のカバー部材を薄型化すると強度が弱くなってしまう恐れがあった。また、上記「特許文献２」に記載されたスピーカのように肉厚に補強し強度を増加させることも可能であるが、小型スピーカの場合「特許文献２」に記載された大型スピーカと違い、振動板とカバー部材との間に微小の隙間しかないため振動板の全面を肉厚に補強することは困難であった。
【０００９】
本願発明は、このような事情に鑑みてなされたものであって、外部機器に搭載し得るように構成された電気音響変換器において、薄型に構成できかつ強度を十分確保した上で、外部機器へ搭載される他の電子部品であるアンテナへの悪影響をおよぼすことのない電気音響変換器を提供することを目的とするものである。
【課題を解決するための手段】
【００１０】
本願発明は、カバー部材の構成に工夫を施すことにより、上記目的達成を図るようにしたものである。
【００１１】
すなわち、本願発明に係る電気音響変換器は、中央に平面部と、前記平面部の周囲にエッジ部を有する振動板と、前記振動板の一端部の平面部に載置された付加プレートと、前記振動板の他端部に一端部が固着され、導線を巻回することにより構成されたボイスコイルと、前記ボイスコイルの他端部を収容する磁気間隙が形成された磁気回路ユニットと、前記磁気回路ユニットを保護するための筺体と、前記筺体に取り付けられ、前記磁気回路ユニットの一部を覆うためのカバー部材と、を備えたスピーカにおいて、前記カバー部材は、樹脂により形成され、前記カバー部材の少なくとも前記振動板のエッジ部と対向する面には、梁部が形成されていることを特徴とする電気音響変換器である。
【００１２】
また、前記エッジ部は、前記振動板の他端部側に突出するように湾曲していることを特徴とするものである。
【００１３】
さらに、前記梁部は、前記付加プレート載置部外周の前記振動板上面側に形成されていることを特徴とするものである。
【００１４】
また、前記梁部は、少なくとも前記付加プレートの外周部を取り囲む環状の円環リブを備えることを特徴とするものである。
【００１５】
さらに、前記カバー部材は、略四角形状に形成され、前記梁部は、少なくとも前記カバー部材の辺中心及び角部より前記円環リブへ延出される放射リブを備えることを特徴とするものである。
【００１６】
また、前記カバー部材は、厚さ０．２ｍｍ以下の樹脂により形成されていることを特徴とするものである。
【発明の効果】
【００１７】
上記構成に示すように、本願発明に係る電気音響変換器は、外部機器に搭載し得る構成となっているが、そのカバー部材が樹脂により形成され、さらにカバー部材の振動板のエッジ部と対向する面には、梁部が形成されているので、次のような作用効果を得ることができる。
【００１８】
すなわち、カバー部材を樹脂により形成することで、携帯電話などに配置された場合に、他の電子部品であるアンテナへの悪影響を防止できる上、さらに梁部を形成しカバー部材の強度を向上させることで、樹脂製のカバー部材を薄く形成することができる。
【００１９】
このように本願発明によれば、外部機器に搭載し得るように構成された電気音響変換器において、これを他の電子部品に悪影響をおよぼすことが無くかつ耐久性を十分確保した製品を提供することができる。
【００２０】
また、振動板のエッジ部が、他端部側つまり振動板の下面側に突出するように湾曲しているため、エッジ部上に梁部を形成しても振動板の鳴動に伴う上下動により、エッジ部が梁部と干渉してしまうおそれを低減させることができ安定した音響振動を得ることができる。
【００２１】
さらに、梁部は、付加プレート載置部外周の振動板上面側に形成されているため、振動板より付加プレートはカバー部材側に突出しているが、振動板の鳴動に伴う上下動により、付加プレートが梁部に接触する心配が無く安定した音響振動を得ることができる。
【００２２】
また、梁部は、少なくとも付加プレートの外周部を取り囲むように環状の円環リブを有しているため、梁部のない付加プレート上面側のカバー部材中央付近の強度を向上させることができる。
【００２３】
さらに、本願発明のカバー部材を、略四角形状に形成された電気音響変換器に適用することも可能である。その際、梁部は、少なくともカバー部材の辺中心及び角部より円環リブへ延出されるように構成することで、少ない梁を構成するのみで効率的にカバー部材の強度を向上させることができる。
【００２４】
また、厚さ０．２ｍｍ以下の樹脂により形成されたカバー部材に本願発明を適用することで、上記の梁部の効果が大きくなるものである。
【発明を実施するための最良の形態】
【００２５】
以下、図面を用いて、本願発明の実施の形態について説明する。
【００２６】
図１は、本願発明の一実施形態に係る電気音響変換器１０を示す分解斜視図である。また、図２は、本願発明の一実施形態に係る電気音響変換器１０の断面図である。
【００２７】
これらの図に示すように、本実施形態に係る電気音響変換器１０は、小型の動電型スピーカであって、外部機器（例えば携帯電話機やＩＣレコーダ等）の筺体に組み込まれ使用される様に構成されている。
【００２８】
この電気音響変換器１０は、略長方形の電気音響変換器であって、長辺１１ｍｍ程度、短辺７ｍｍ程度の長方形の外形形状を有し、外形形状より一回り小さい振動板１２と、この振動板１２の下面に固定されたボイスコイル１４と、このボイスコイル１４の下端部を収容する環状の磁気間隙が形成された磁気回路ユニット１６と、磁気回路ユニット１６を内包し固定支持するとともに、その上面において振動板１２の外周縁部を固定支持するフレーム２０と、このフレーム２０に取り付けられた１対の端子プレート１８と、フレーム２０の下端部から露出するようにして該フレームに支持された１対の外部接続端子２２と、振動板１２の上面側からフレーム２０に固着されたカバー部材２４とからなっている。
【００２９】
そして、この電気音響変換器１０においては、そのボイスコイル１４および磁気回路ユニット１６が、その振動板１２の振動を介して電気音響変換を行うための変換ユニットを構成している。
【００３０】
フレーム２０は、合成樹脂製の射出成形品であって、略長方形状の外周面形状を有しており、その中央部には、ボイスコイル１４よりもやや大径の円形開口部２０Ｄが形成されている。このフレーム２０は、円形開口部２０Ｄの周囲に位置するフレーム底面部２０Ａと、このフレーム底面部２０Ａの上面側へ延びる上部フランジ部２０Ｂと、下面側に延びる下部フランジ部２０Ｃからなっている。
【００３１】
上部フランジ部２０Ｂは、その上面が階段状に形成されている。すなわち、この上部フランジ部２０Ｂの上面は、その内周寄りの略半分が下段部２０Ｅ、その外周側に隣接する略４分の１の部分が上段部２０Ｆ、その外周側に隣接する残り略４分の１の部分が中段部２０Ｇとして構成されており、その下段部２０Ｅにおいて振動板１２を接着支持している。
【００３２】
この上部フランジ部２０Ｂの外周面は、略長方形状に形成されている。また、この上部フランジ部２０Ｂにおける左右両側中央には、フレーム底面部２０Ａの上面まで切り欠かれた切欠き部２０Ｈが形成されており、これら各切欠き部２０Ｈには、後述するカバー部材２４のケース嵌合部２４Ｃが接着される。
【００３３】
下部フランジ部２０Ｃの外周面は、略長方形状に形成されている。また、この下部フランジ部２０Ｃの内側には、磁気回路ユニット１６が配置され、マグネット３０が当接される。
【００３４】
振動板１２は、ポリイミド等の合成樹脂製フィルムに熱プレス成形を施すことにより形成されている。この振動板１２の外周縁部には、略長方形環状の外周縁平面部１２Ａが形成されており、この外周縁平面部１２Ａの内周側には、エッジ部１２Ｂが形成されている。そして、このエッジ部１２Ｂは下面側へ向けて円環面状に膨出するように形成されている。さらにエッジ部１２Ｂの内周側には、略トラック状の中央平面部１２Ｃが形成されている。
【００３５】
そして、この振動板１２は、その外周縁平面部１２Ａにおいてフレーム２０の上部フランジ部２０Ｂの下段部２０Ｅに接着されるとともに、その中央平面部１２Ｃにおいてボイスコイル１４の上端に接着されている。
【００３６】
１対の端子プレート１８は、いずれも金属板の加工品として構成されており、インサート成形によりフレーム２０と一体的に形成されている。これら各端子プレート１８は、フレーム２０のフレーム底面部２０Ａにおける短辺側に隣接する位置において、該フレーム底面部２０Ａの上面と面一で露出するランド部となっているとともに、上部フランジ部２０Ｂの側面に露出する外部接続端子２２と一体的に構成される。
【００３７】
ボイスコイル１４は、円筒状に巻回されており、フレーム２０の円形開口部２０Ｄ内に配置されている。そして、このボイスコイル１４の上端部から延出する１対のコイル端末は、１対の端子プレート１８に熱圧着により導通固定されている。
【００３８】
１対の外部接続端子２２は、いずれも金属製の平板状の端子部材であり、１対の端子プレート１８の近傍に配置されている。
【００３９】
磁気回路ユニット１６は、鉄等の磁性材料で構成されたベース２８と、マグネット３０と、鉄等の磁性材料で構成されたヨーク３２とからなっている。
【００４０】
ベース２８は、背の低い有底円筒状に形成されている。また、マグネット３０およびヨーク３２は、いずれもディスク状に形成されており、ベース２８の底面にこの順で互いに同心となるように載置されるとともに順次接着されている。そしてこれにより、ヨーク３２の外周面とベース２８の内周面との間に、ボイスコイル１４の下端部を収容する円筒状磁気間隙を全周同一幅で形成するようになっている。
【００４１】
ベース２８の底面には、該ベース２８の底面を上下方向に貫通する複数の貫通孔２８Ａが、周方向に所定間隔をおいて形成されている。
【００４２】
磁気回路ユニット１６のフレーム２０への装着は、ベース２８の上端部をフレーム２０の円形開口部２０Ｄに下面側から嵌合させた状態で接着することにより行われている。
【００４３】
図３は、カバー部材２４を下面側から見た斜視図である。また、図４は本願発明の一実施形態に係る電気音響変換器１０の一部を示す分解斜視図である。なお、図３及び図４は、下面側から表した図であるため図の上が下面側、下が上面側となる。
【００４４】
図３及び図４に示すように、カバー部材２４は、合成樹脂製の射出成形品であって、カバー本体２４Ａと放音孔２４Ｂ、ケース嵌合部２４Ｃ、外周面２４Ｄ、リブ２５とからなっている。
【００４５】
カバー本体２４Ａは、平面視において略長方形状に形成されており、フレーム２０と略同一外形形状の外周面２４Ｄを有している。このカバー本体２４Ａは、カバー本体２４Ａの上面側が水平面状に形成されており、その略中央部付近には２個の放音孔２４Ｂが形成されている。
【００４６】
このカバー本体２４Ａの下面側は、０．１５ｍｍ程度の肉厚の複数の梁状のリブ２５が形成されており、その外周側に隣接する外周リブ２５Ａと、その外周リブ２５Ａから中央部へ延びる複数の放射リブ２５Ｂと、放射リブ２５Ｂのさらに内周側に形成された円環リブ２５Ｃとにより構成されている。
【００４７】
また、外周リブ２５Ａのさらに外周側には、フレーム２０の上段部２０Ｆと超音波溶着するための外周面２４Ｄが環状に形成されている。電気音響変換器１０の組み立てにおいて、フレーム２０とカバー部材２４を超音波溶着する際に、上段部２０Ｆが外周面２４Ｄに溶着し、フレーム２０にカバー部材２４が固定されるものである。
【００４８】
さらに、外周面２４Ｄの一部には、フレーム２０との位置決めをするためのケース嵌合部２４Ｃが設けられている。ケース嵌合部２４Ｃは、カバー本体２４Ａより突出した略四角形状の突起部材であり、フレーム２０に形成された切欠き部２０Ｈに嵌合される。
【００４９】
なお、カバー本体２４Ａの外周面２４Ｄ等のリブ２５が形成されていない部位は、０．２ｍｍ程度の肉厚に設定されている。
【００５０】
梁部である複数の梁状のリブ２５について説明すると、まず、外周リブ２５Ａは、振動板１２の可動の外側である下段部２０Ｅの上面側に設けられている。これにより、振動板１２が動作しても、外周リブ２５Ａと干渉することはない。
【００５１】
次に放射リブ２５Ｂは、略長方形状であるカバー本体２４Ａの四隅及び四辺の中央付近よりカバー本体２４Ａの中心部へ向けて計八箇所より延出されている。また、放射リブ２５Ｂの下面側には、エッジ部１２Ｂが形成されている。このエッジ部１２Ｂは下面側へ向けて円環面状に膨出されているため、振動板１２が動作しても、放射リブ２５Ｂと振動板１２とが干渉することの無いように構成されている。
【００５２】
円環リブ２５Ｃは、付加プレート１２Ｄの外周側上面より多少外側に配置されたトラック状のリブ部材である。円環リブ２５Ｃの下面側にはエッジ部１２Ｂが配置されており、放射リブ２５Ｂと同様に振動板１２とが干渉することの無いように構成されている。また円環リブ２５Ｃは、図４の破線で示すように振動板１２の上面側に接着された付加プレート１２Ｄよりわずかに外側に配置するため、付加プレート１２Ｄとも干渉することがない。さらに円環リブ２５Ｃは円環状に形成されており、梁のないカバー本体２４Ａの中央部の強度も確保できるものである。
【００５３】
以上詳述したように、本実施形態に係る電気音響変換器１０は、外部機器に搭載し得る構成となっているが、そのカバー部材２４が樹脂により形成され、さらにカバー部材２４の振動板１２のエッジ部１２Ｂと対向する面には、リブ２５が形成されているので、次のような作用効果を得ることができる。
【００５４】
すなわち、カバー部材２４を樹脂により形成することで、携帯電話などに配置された場合に、他の電子部品であるアンテナへの悪影響を防止できる上、さらにリブ２５を形成しカバー部材２４の強度を向上させることで、樹脂製のカバー部材２４を薄く形成することができる。
【００５５】
このように本願発明によれば、外部機器に搭載し得るように構成された電気音響変換器において、これを他の電子部品に悪影響をおよぼすことが無くかつ耐久性を十分確保した製品を提供することができる。
【００５６】
また、振動板１２のエッジ部１２Ｂが、他端部側つまり振動板１２の下面側に突出するように湾曲しているため、エッジ部１２Ｂの上面側に放射リブ２５Ｂや円環リブ２５Ｃ等のリブ２５を形成しても振動板１２の鳴動に伴う上下動により、エッジ部１２Ｂがリブ２５と干渉してしまうおそれを低減させることができ安定した音響振動を得ることができる。
【００５７】
さらに、リブ２５は、付加プレート１２Ｄが載置された外周側の振動板１２上に形成されているため、振動板１２より付加プレート１２Ｄはカバー部材２４側に突出しているが、振動板１２の鳴動に伴う上下動により、付加プレート１２Ｄがリブ２５に接触する心配が無く安定した音響振動を得ることができる。
【００５８】
また、リブ２５は、付加プレート１２Ｄの外周部を取り囲むように環状の円環リブ２５Ｃを有しているため、リブ２５の形成されていない付加プレート１２Ｄ上面側のカバー部材２４中央付近の特に放音孔２４Ｂ周辺の強度を向上させることができる。
【００５９】
さらに、本願発明のカバー部材２４を、略四角形状に形成された電気音響変換器１０に適用することも可能である。その際、カバー部材２４の辺中心及び角部より放射リブ２５Ｂを円環リブ２５Ｃへ延出されるように構成することで、少ない放射リブ２５Ｂを構成するのみで効率的にカバー部材２４の強度を向上させることができる。
【００６０】
また、上記実施形態においては、電気音響変換器１０が動電型スピーカであるものとして説明したが、これ以外の電気音響変換器（例えばレシーバ等）である場合においても、上記実施形態と同様の構成を採用することにより上記実施形態と同様の作用効果を得ることが可能である。
【００６１】
なお、上記実施形態において諸元として示した数値は一例にすぎず、これらを適宜異なる値に設定してもよいことはもちろんである。
【図面の簡単な説明】
【００６２】
【図１】本願発明の一実施形態に係る電気音響変換器１０を示す分解斜視図
【図２】本願発明の一実施形態に係る電気音響変換器１０の断面図
【図３】カバー部材２４を下面側から見た斜視図
【図４】本願発明の一実施形態に係る電気音響変換器１０の一部を示す分解斜視図
【符号の説明】
【００６３】
１０  電気音響変換器
１２  振動板
１２Ａ  外周縁平面部
１２Ｂ  エッジ部
１２Ｃ  中央平面部
１２Ｄ  付加プレート
１４  ボイスコイル
１６  磁気回路ユニット
１８  端子プレート
２０  フレーム
２０Ａ  フレーム底面部
２０Ｂ  上部フランジ部
２０Ｃ  下部フランジ部
２０Ｄ  円形開口部
２０Ｅ  下段部
２０Ｆ  上段部
２０Ｇ  中段部
２０Ｈ  切欠き部
２２  外部接続端子
２４  カバー部材
２４Ａ  カバー本体
２４Ｂ  放音孔
２４Ｃ  ケース嵌合部
２４Ｄ  外周面
２５  リブ
２５Ａ  外周リブ
２５Ｂ  放射リブ
２５Ｃ  円環リブ
２８  ベース
２８Ａ  貫通孔
３０  マグネット
３２  ヨーク
【図１】
2008182394.tif 000003
【図２】
2008182394.tif 000004
【図３】
2008182394.tif 000005
【図４】
2008182394.tif 000006